(57)【特許請求の範囲】
【請求項１】
検出対象物の搬送経路に対向し、搬送方向に交差する幅方向に沿って往復動可能に設けられたセンサーと、
前記センサーが往復動する平面に対して前記搬送経路とは反対側に設けられて、前記センサーの往復動範囲を覆うカバー部材と、
前記カバー部材の前記センサーとは反対側に設けられて、前記往復動範囲の一端側よりも他端側の方に広い空間を形成するように、前記センサーと前記搬送経路との対向方向および前記幅方向に対して傾斜する傾斜面部と、
前記カバー部材の前記センサーとは反対側において、前記一端側から、前記傾斜面部よりも前記他端側に引き回されて、先端が前記センサーに接続されたケーブルと、
を備えたことを特徴とする電子機器。
【請求項２】
前記搬送方向において、前記ケーブルの一部が、前記傾斜面部を間にして前記ケーブルと前記センサーとの接続位置とは反対側であって当該傾斜面部の近傍に位置付けられるように当該ケーブルの位置を規制する規制部材を備えたことを特徴とする請求項１に記載の電子機器。
【請求項３】
前記傾斜面部は、前記幅方向において前記往復動範囲の略中央に設けられていることを特徴とする請求項１または２に記載の電子機器。
【請求項４】
前記傾斜面部は、前記カバー部材の外表面に連続していることを特徴とする請求項１〜３のいずれか一つに記載の電子機器。
【請求項５】
前記傾斜面部の側方に設けられ、前記傾斜面部の幅方向に沿って当該傾斜面部に側方から対向する側方ガイド部材を備え、
前記ケーブルは、前記傾斜面部の側方において当該傾斜面部と前記側方ガイド部材との間に位置付けられることを特徴とする請求項１〜４のいずれか一つに記載の電子機器。
【請求項６】
前記センサーと前記搬送経路との対向方向に沿って前記傾斜面部に対向し、前記傾斜面部との間に、前記一端側よりも前記他端側の方が拡開され、当該他端側および側方が開放されたガイド空間を形成する対向ガイド部材を備えたことを特徴とする請求項１〜５のいずれか一つに記載の電子機器。
【発明の詳細な説明】
【技術分野】
【０００１】
この発明は、ケーブルが接続された可動式の部品を備えた電子機器に関する。
【背景技術】
【０００２】
従来、記録対象とする記録媒体の搬送方向に交差する幅方向に沿って可動するセンサーを備え、記録媒体の種類やサイズに応じてセンサーの位置を調整するようにしたプリンタがあった。関連する技術として、従来、たとえば、可動式のセンサーに、略Ｕ字形状に屈曲させた所定剛性を有するケーブルを接続するようにした技術があった（たとえば、下記特許文献１を参照）。
【０００３】
このようなプリンタにおいて、センサーには、給電や信号の授受などに用いるケーブルが接続されている。センサーが可動式である場合、ケーブルの長さは、当該ケーブルの引き回し開始位置から、当該ケーブルとセンサーとの接続位置までの距離がもっとも長くなる位置にあわせて決定される。
【先行技術文献】
【特許文献】
【０００４】
【特許文献１】特開平８−２５８３７１号公報
【発明の概要】
【発明が解決しようとする課題】
【０００５】
しかしながら、上述した従来の技術は、ケーブルの長さによっては当該ケーブルが想定した姿勢を維持することができず、センサーが移動する際にケーブルが想定外の形状に変形し、変形した形状によってケーブルが引っ掛かったり、周囲の部材の間に巻き込まれたり、周囲の部材との間で擦れたりして、ケーブルや周囲の部材を損傷してしまうという問題があった。
【０００６】
また、上述した特許文献１を含む従来の技術は、略Ｕ字形状を維持できる所定剛性を有するケーブルを用いる。ケーブルが姿勢を維持するためには或る程度の剛性が必要であるが、そのような剛性を有するケーブルは、屈曲部の半径を小さくするには限界があり、当該ケーブルの引き回しのために或る程度のスペースを確保しなければならず、小型化を図ることが難しいという問題があった。
【０００７】
また、センサーが移動することによるケーブルと周囲の部材との干渉に起因して、ケーブルや周囲の部材が損傷することを回避するため、ケーブルを引き回す範囲には部材を配置することはできず、ケーブルの引き回しのために或る程度のスペースを確保するために小型化を図ることが難しいという問題があった。
【０００８】
この発明は、上述した従来技術による問題点を解消するため、可動式の部品に接続されたケーブルを損傷することなく小型化を図ることができる電子機器を提供することを目的とする。
【課題を解決するための手段】
【０００９】
上述した課題を解決し、目的を達成するため、この発明にかかる電子機器は、検出対象物の搬送経路に対向し、搬送方向に交差する幅方向に沿って往復動可能に設けられたセンサーと、前記センサーが往復動する平面に対して前記搬送経路とは反対側に設けられて、前記センサーの往復動範囲を覆うカバー部材と、前記カバー部材の前記センサーとは反対側に設けられて、前記往復動範囲の一端側よりも他端側の方に広い空間を形成するように、前記センサーと前記搬送経路との対向方向および前記幅方向に対して傾斜する傾斜面部と、前記カバー部材の前記センサーとは反対側において、前記一端側から、前記傾斜面部よりも前記他端側に引き回されて、先端が前記センサーに接続されたケーブルと、を備えたことを特徴とする。
【００１０】
また、この発明にかかる電子機器は、上記の発明において、前記搬送方向において、前記ケーブルの一部が、前記傾斜面部を間にして前記ケーブルと前記センサーとの接続位置とは反対側であって当該傾斜面部の近傍に位置付けられるように当該ケーブルの位置を規制する規制部材を備えたことを特徴とする。
【００１１】
また、この発明にかかる電子機器は、上記の発明において、前記傾斜面部が、前記幅方向において前記往復動範囲の略中央に設けられていることを特徴とする。
【００１２】
また、この発明にかかる電子機器は、上記の発明において、前記傾斜面部が、前記カバー部材の外表面に連続していることを特徴とする。
【００１３】
また、この発明にかかる電子機器は、上記の発明において、前記傾斜面部の側方に設けられ、前記傾斜面部の幅方向に沿って当該傾斜面部に側方から対向する側方ガイド部材を備え、前記ケーブルが、前記傾斜面部の側方において当該傾斜面部と前記側方ガイド部材との間に位置付けられることを特徴とする。
【００１４】
また、この発明にかかる電子機器は、上記の発明において、前記センサーと前記搬送経路との対向方向に沿って前記傾斜面部に対向し、前記傾斜面部との間に、前記一端側よりも前記他端側の方が拡開され、当該他端側および側方が開放されたガイド空間を形成する対向ガイド部材を備えたことを特徴とする。
【発明の効果】
【００１５】
この発明にかかる電子機器によれば、可動式の部品に接続されたケーブルを損傷することなく小型化を図ることができるという効果を奏する。
【図面の簡単な説明】
【００１６】
【図１】この発明にかかる実施の形態のプリンタの構成を示す説明図（その１）である。
【図２】この発明にかかる実施の形態のプリンタの構成を示す説明図（その２）である。
【図３】この発明にかかる実施の形態のプリンタの構成を示す説明図（その３）である。
【図４】この発明にかかる実施の形態のプリンタの構成を示す説明図（その４）である。
【図５】第２のセンサーの移動機構およびケーブルガイド機構を示す分解斜視図である。
【図６】第２のセンサーの位置に応じたケーブルの状態を示す説明図（その１）である。
【図７】第２のセンサーの位置に応じたケーブルの状態を示す説明図（その２）である。
【図８】第２のセンサーの位置に応じたケーブルの状態を示す説明図（その３）である。
【図９】この発明にかかる実施の形態の電子機器としてのプリンタの変形例を示す説明図（その１）である。
【図１０】この発明にかかる実施の形態の電子機器としてのプリンタの変形例を示す説明図（その２）である。
【発明を実施するための形態】
【００１７】
以下に添付図面を参照して、この発明にかかる電子機器の好適な実施の形態を詳細に説明する。この実施の形態においては、この発明にかかる電子機器を、プリンタによって実現する場合の一例を説明する。
【００１８】
（プリンタの構成）
まず、この発明にかかる実施の形態のプリンタの構成について説明する。図１、図２、図３および図４は、この発明にかかる実施の形態のプリンタの構成を示す説明図である。図１、図２、図３および図４において、この発明にかかる実施の形態の電子機器を実現するプリンタ１００は、ヘッドユニット１１０と本体部１２０とを備えている。
【００１９】
ヘッドユニット１１０は、本体部１２０に対して回動可能に連結されている。ヘッドユニット１１０は、ヘッドユニット１１０を本体部１２０に対して回動させることによって、本体部１２０から離間する方向に変位する。図１においては、ヘッドユニット１１０を本体部１２０に対して当該本体部１２０から離間する方向へ回動させた状態を示している。図２においては、図１におけるＡ矢視図を示している。
【００２０】
ヘッドユニット１１０は、プリンタ１００の通常の使用状態において、図示を省略する通常使用位置に位置付けられる。通常使用位置に位置付けられた状態におけるヘッドユニット１１０は、本体部１２０に設けられた図示を省略するロック機構により、本体部１２０に係止される。ロック機構は、本体部１２０に設けられた開閉ボタン１２１に連結されている。
【００２１】
ロック機構は、開閉ボタン１２１が押下された場合に、開閉ボタン１２１の動きに連動して、本体部１２０に対するヘッドユニット１１０の係止を解除する。ヘッドユニット１１０は、ロック機構によるロックが解除された場合に、図１や図２に示すように、プリンタ１００の内部を開放する位置に位置付けることができる。
【００２２】
ヘッドユニット１１０が通常使用位置に位置付けられた状態においては、プリンタ１００の内側に、図示を省略する記録部が構成される。記録部は、ヘッドユニット１１０と本体部１２０との対向方向に沿って対向する、プリントヘッド１１１とプラテン１２２とを備えている。記録部が記録対象とする記録媒体は、プリントヘッド１１１とプラテン１２２との間に形成される、記録媒体の搬送経路（図示を省略する）中を所定方向に搬送される。
【００２３】
搬送経路は、図１や図２に示したように、ヘッドユニット１１０を本体部１２０から離間させた状態において開放される。搬送経路を開放した状態においては、記録媒体の交換、本体部１２０およびヘッドユニット１１０の内部に配設された部品の点検や交換などの作業をおこなうことができる。
【００２４】
記録媒体は、プリンタ１００の背面側（図１における紙面背面側）に設けられる、図示を省略する記録媒体保持部に保持される。記録媒体は、たとえば、長尺状をなし、長さ方向の一端側からロール状に巻回されたロール紙を用いることができる。この実施の形態のプリンタ１００において、記録部の記録動作に際しての記録媒体は、図１における紙面背面側（図２における紙面右側）から図１における紙面前面側（図２における紙面左側）に搬送される。この実施の形態においては、以降、記録部の記録動作に際して記録媒体が移動する方向に平行な方向を、適宜、搬送方向として説明する。
【００２５】
プラテン１２２は、本体部１２０に設けられている。プラテン１２２は、記録動作に際して、プリントヘッド１１１によって表面（記録面）側から押圧力が加えられる記録媒体を裏面側から支持する。プラテン１２２は、本体部１２０の幅方向を軸心方向とする略円柱形状をなす。この実施の形態においては、「本体部１２０の幅方向」によって、この発明にかかる「搬送方向に交差する幅方向」を実現することができる。プラテン１２２は、軸心方向の両端部が、本体部１２０の幅方向両端に配置された一対のサイドフレーム１２３に支持されている。プラテン１２２は、軸心周りに回動可能とされている。
【００２６】
プラテン１２２の軸の一端には、図示を省略するギア列を介して、図示を省略するモータが取り付けられている。ギア列は、プラテン１２２の軸の一端を支持するサイドフレーム１２３に設けられており、モータの駆動力が伝達されることによって回転する。プラテン１２２は、ギア列を構成するギアの回転にともなって回転する。プラテン１２２は、回転することによって、搬送経路中の記録媒体を所定方向へ搬送する。
【００２７】
一対のサイドフレーム１２３の間には、ガイド板１２４が設けられている。ガイド板１２４は、搬送経路に対向配置されており、搬送経路中を搬送される記録媒体を、記録面の裏面側から支持する。ガイド板１２４には、第１のセンサー１２５が設けられている。第１のセンサー１２５は、たとえば、反射型光学センサーによって実現することができる。この実施の形態においては、以下、第１のセンサー１２５を反射型光学センサーによって実現する例について説明する。
【００２８】
反射型光学センサーは、発光素子と受光素子とを備えて構成される。発光素子は、搬送経路側に向けて光を出射する。受光素子は、発光素子が出射した光が搬送経路中を搬送される記録媒体によって反射された場合に、当該反射光を受光する。第１のセンサー１２５は、受光素子の受光量に応じた信号を、図示を省略する制御部に出力する。
【００２９】
制御部は、発光素子の発光中における受光素子の受光量に応じて第１のセンサー１２５から出力される信号に基づいて、搬送経路中を搬送される記録媒体の位置を検出することができる。第１のセンサー１２５を反射型光学センサーによって実現することにより、たとえば、搬送経路中を搬送される記録媒体の裏面に形成された基準位置マークなどを光学的に検出することができる。制御部は、第１のセンサー１２５からの出力信号に基づいて、プラテン１２２に連結されたモータやプリントヘッド１１１を駆動制御する。
【００３０】
ガイド板１２４には、第１のセンサー１２５を実現する反射型光学センサーが備える発光素子および受光素子を搬送経路に対向させるスリット１２６が設けられている。第１のセンサー１２５を実現する反射型光学センサーは、スリット１２６を介して、発光素子が発光した光を搬送経路に対して出射させるとともに、搬送経路中を搬送される記録媒体などによって反射された光を受光素子によって受光する。スリット１２６は、本体部１２０の幅方向を長手方向として設けられている。第１のセンサー１２５は、スリット１２６内を、当該スリット１２６の長手方向すなわち本体部１２０の幅方向に沿って往復動可能に設けられている。
【００３１】
プリントヘッド１１１は、ヘッドユニット１１０に設けられている。プリントヘッド１１１は、たとえば、サーマル方式の記録動作をおこなうサーマルヘッドを用いることができる。サーマル方式の記録動作をおこなうプリントヘッド１１１は、本体部１２０の幅方向に沿ってライン状に配列された複数の発熱素子を備えている。
【００３２】
プリンタ１００は、図示を省略する制御部によりサーマルヘッドにおける各発熱素子に対して選択的に通電し、各発熱素子を選択的に発熱させることによって記録動作をおこなう。この場合、感熱発色性を備えた記録媒体を用いる。ヘッドユニット１１０は、サーマル方式の記録に代えて、他の記録方式によって記録をおこなうプリントヘッド１１１を備えていてもよい。
【００３３】
プリントヘッド１１１は、フレーム１１２によって支持されている。フレーム１１２は、たとえば、金属製の板状部材を板金加工することによって形成することができる。プリントヘッド１１１は、本体部１２０の幅方向に延出する軸の軸心周りに揺動可能に設けられている。プリントヘッド１１１の軸の両端は、プリンタ１００の通常の使用状態において、本体部１２０に設けられたガイド１２７に支持される。これにより、プラテン１２２に対するプリントヘッド１１１の位置決めをおこなうことができる。プリントヘッド１１１は、プリンタ１００の通常の使用状態において、図示を省略する付勢部材によりプラテン１２２に当接する方向に付勢されている。
【００３４】
ヘッドユニット１１０は、ペーパーガイド１１３を備えている。ペーパーガイド１１３は、プリンタ１００の通常の使用状態において、プリントヘッド１１１と同じ側から搬送経路に対向する。ペーパーガイド１１３には、この発明にかかるセンサーを実現する第２のセンサー１１４が設けられている。第２のセンサー１１４は、たとえば、透過型光学センサーによって実現することができる。この実施の形態においては、以下、第２のセンサー１１４を透過型光学センサーによって実現する例について説明する。
【００３５】
第２のセンサー１１４を実現する透過型光学センサーは、第１のセンサー１２５を実現する反射型光学センサーが備える発光素子が発光した光を受光する受光素子を備えている。第２のセンサー１１４は、受光素子の受光量に応じた信号を、図示を省略する制御部に出力する。第２のセンサー１１４を透過型光学センサーによって実現することにより、たとえば、搬送経路中を搬送される記録媒体の有無を検出することができる。
【００３６】
また、第２のセンサー１１４を透過型光学センサーによって実現することにより、たとえば、反射型光学センサーでは検出できない、記録媒体の切断用の切り込みなどを検出することができる。制御部は、記録対象とする記録媒体の種類に応じて、第１のセンサー１２５に代えてあるいは第１のセンサー１２５に加えて、第２のセンサー１１４からの出力信号に基づいて、プラテン１２２に連結されたモータやプリントヘッド１１１を駆動制御する。
【００３７】
ペーパーガイド１１３には、第１のセンサー１２５を実現する反射型光学センサーが備える発光素子が発光した光を、第２のセンサー１１４が備える受光素子に受光させるスリット１１５が設けられている。スリット１１５は、本体部１２０の幅方向を長手方向として設けられている。
【００３８】
第２のセンサー１１４は、スリット１１５内を、当該スリット１１５の長手方向すなわち本体部１２０の幅方向に沿って往復動可能に設けられている。第２のセンサー１１４は、ペーパーガイド１１３に設けられたスリット１１５内を往復動する。このため、この実施の形態において、ペーパーガイド１１３は、第２のセンサー１１４が往復動する平面を実現する。
【００３９】
ペーパーガイド１１３は、フレーム１１２に対して、当該フレーム１１２から離間する方向に回動可能に設けられている。これにより、ヘッドユニット１１０を本体部１２０から離間させた状態において、ペーパーガイド１１３をフレーム１１２から離間させることができる。
【００４０】
ヘッドユニット１１０と本体部１２０との位置関係は、通常使用位置に位置付けられた状態において、ヘッドユニット１１０に設けられた位置決めボス１１６を、本体部１２０に設けられた位置決め穴１２８に嵌合させることによって固定される。
【００４１】
また、ヘッドユニット１１０は、本体部１２０に設けられたフック１２９が係合される係合用突起１１９を備えている。本体部１２０に設けられたフック１２９を、ヘッドユニット１１０が備える係合用突起１１９に係合させることにより、本体部１２０に対するペーパーガイド１１３の位置を固定し、ペーパーガイド１１３に設けられた第２のセンサー１１４による検出精度を確保することができる。
【００４２】
図３および図４においては、ペーパーガイド１１３をフレーム１１２から離間させた状態を示している。図４においては、ペーパーガイド１１３をフレーム１１２から離間させ、本体部１２０に固定した状態、図３においては、図１および図２に示した状態から図４に示した状態に移行する途中の状態を示している。
【００４３】
図３に示すように、ペーパーガイド１１３は、ヘッドユニット１１０のフレーム１１２に固定された状態で、当該フレーム１１２に設けられた図示を省略するフックが係合される角孔３０１を備えている。ペーパーガイド１１３が備える角孔３０１に、フレーム１１２に設けられたフックを係合させることにより、ペーパーガイド１１３をフレーム１１２と一体的に回動させることができ、搬送経路を容易に開放することができる。
【００４４】
図３および図４に示すように、ペーパーガイド１１３には、第２のセンサー１１４に接続されるケーブル（図６〜図８における符号６００を参照）の引き回し位置をガイドするケーブルガイド機構３０２が設けられている。ケーブルガイド機構３０２は、センサーカバー３０３と、ガイドシート３０４と、を備えている。
【００４５】
センサーカバー３０３は、ペーパーガイド１１３における、当該ペーパーガイド１１３が搬送経路に対向する側とは反対側に設けられている。センサーカバー３０３は、この発明にかかるカバー部材を実現する。ガイドシート３０４は、センサーカバー３０３における、当該センサーカバー３０３がペーパーガイド１１３に対向する側とは反対側に設けられている。本体部１２０側から引き回されたケーブルは、ケーブルガイド機構３０２を介して、具体的には、センサーカバー３０３の上側であってガイドシート３０４の内側を経由して、第２のセンサー１１４に接続される。
【００４６】
図５は、第２のセンサー１１４の移動機構およびケーブルガイド機構３０２を示す分解斜視図である。図５において、センサーカバー３０３は、ペーパーガイド１１３に設けられたネジ孔１１３ａに螺合されるネジ（図示を省略する）によって、ペーパーガイド１１３に固定される。
【００４７】
ペーパーガイド１１３には、本体部１２０の幅方向に沿って突出部分（山）と没入部分（谷）とが交互に出現する波形形状をなすセンサーレール５０１が設けられている。センサーレール５０１には、第２のセンサー１１４の基板５０２を保持するセンサーホルダー５０３が係合している。第２のセンサー１１４の基板５０２は、たとえば、ネジ止めによってセンサーホルダー５０３に固定することができる。
【００４８】
センサーホルダー５０３は、センサーレール５０１の波形形状における没入部分と略同一形状をなす、図示を省略する突起を備えており、当該突起をセンサーレール５０１の波形形状に嵌め込むことによってセンサーレール５０１に係合している。センサーホルダー５０３は、図示を省略する付勢部材によって、突起をセンサーレール５０１に押しつける方向に付勢されている。
【００４９】
センサーホルダー５０３は、本体部１２０の幅方向に沿って移動させる外力が加えられると、外力が加えられた方向に沿ってセンサーレール５０１に対する突起の係合位置を変化させながら移動する。具体的には、センサーホルダー５０３は、センサーホルダー５０３を付勢する付勢部材の付勢力に抗して突起あるいはセンサーホルダー５０３自体を弾性変形させながら、センサーレール５０１において突起が嵌まり込む没入部分を順次隣接する没入部に移動させることによって移動する。
【００５０】
外力から開放されると、付勢部材の付勢力によってセンサーレール５０１に対するセンサーホルダー５０３の位置が固定される。これにより、第２のセンサー１１４の位置を、センサーホルダー５０３の突起が波形形状の没入部分に嵌まり込む位置に制限することができ、本体部１２０の幅方向における第２のセンサー１１４の位置を容易かつ高精度に設定することができる。
【００５１】
センサーレール５０１を波形形状とし、当該波形形状における没入部分にセンサーホルダー５０３の突起を嵌め込むことによって第２のセンサー１１４の位置を調整する構成とすることにより、第２のセンサー１１４の位置調整に際しては、センサーホルダー５０３の突起が波形形状の没入部分を１つ乗り越えるごとに、操作者に対してクリック感を伝達することができる。このクリック感により、操作者は、波形形状のピッチ単位で第２のセンサー１１４を精度よく移動させ、当該第２のセンサー１１４を所望の位置において固定することができる。
【００５２】
図５における符号５００は、第２のセンサー１１４の可動範囲を示している。第２のセンサー１１４は、可動範囲５００の中で、ペーパーガイド１１３の回動中心側である一端側（図５における左側（紙面下側））と、ペーパーガイド１１３の自由端側である他端側（図５における右側（紙面上側））との間を往復動することができ、任意の位置で固定することができる。第２のセンサー１１４に接続されるケーブルは、本体部１２０側からセンサーカバー３０３におけるペーパーガイド１１３とは反対側（以降「上側」という）であって、センサーカバー３０３における一端側において、第２のセンサー１１４の往復動方向と平行となるように引き回される。
【００５３】
ケーブルガイド機構３０２において、センサーカバー３０３は、略平板形状をなし、ペーパーガイド１１３の上側から第２のセンサー１１４の往復動範囲を覆うように設けられる。センサーカバー３０３には、ガイド部材５０４が設けられている。ガイド部材５０４は、一端側よりも他端側の方に広い空間を形成するように傾斜する傾斜面部５０４ａを備えている。傾斜面部５０４ａは、一端側よりも他端側の方がペーパーガイド１１３の上側の面に近く、他端側から一端側へ近づくほどペーパーガイド１１３の上側の面から離間するように傾斜している。
【００５４】
ガイド部材５０４は、傾斜面部５０４ａが、本体部１２０の幅方向における第２のセンサー１１４の往復動範囲の略中央に位置するように設けられている。傾斜面部５０４ａは、センサーカバー３０３の上側の表面に連続するように設けられている。ガイド部材５０４において、傾斜面部５０４ａの一端側の頂部は平面部５０４ｂとされている。
【００５５】
センサーカバー３０３の一端側には、センサーケーブル孔５０５が設けられている。センサーケーブル孔５０５は、センサーカバー３０３を、当該センサーカバー３０３の板厚方向（図５における紙面上下方向）に沿って貫通している。センサーケーブル孔５０５は、本体部１２０の幅方向を長手方向とするスリット形状をなす。これにより、本体部１２０からセンサーカバー３０３の上側に引き回されるケーブルを、センサーケーブル孔５０５を経由して第２のセンサー１１４と接続することができる。センサーケーブル孔５０５を、本体部１２０の幅方向を長手方向とするスリット形状とすることにより、第２のセンサー１１４の位置にかかわらず、第２のセンサー１１４とケーブルとの良好な接続を確保することができる。
【００５６】
センサーカバー３０３には、センサーカバー３０３の一端側において、本体部１２０から引き回されるケーブルの位置を規制する第１のケーブル規制部材５０６が設けられている。第１のケーブル規制部材５０６は、リング形状をなしている。本体部１２０から引き回されるケーブルは、第１のケーブル規制部材５０６を経由して、センサーカバー３０３の一端側からセンサーカバー３０３の上側に引き回される。
【００５７】
センサーカバー３０３の一端側からセンサーカバー３０３の上側に引き回されたケーブルは、ガイド部材５０４の近傍を通って、センサーカバー３０３の他端側へ引き回される。具体的には、センサーカバー３０３の一端側からセンサーカバー３０３の上側に引き回されたケーブルは、搬送方向におけるガイド部材５０４の一方側（たとえば、図５における紙面手前側）に引き回され、傾斜面部５０４ａよりも他端側に引き回されて、搬送方向におけるガイド部材５０４の他方側（たとえば、図５における紙面奥側）において第２のセンサー１１４に接続される。
【００５８】
ガイド部材５０４の傾斜面部５０４ａの近傍には、ケーブルの一部をセンサーカバー３０３に固定する第２のケーブル規制部材５０７が設けられている。第２のケーブル規制部材５０７は、搬送方向においてケーブルと第２のセンサー１１４との接続位置とは反対側に設けられている。これにより、ケーブルの一部は、第２のセンサー１１４との接続位置とは反対側であって当該傾斜面部５０４ａの近傍に位置付けられるように規制される。この実施の形態においては、第２のケーブル規制部材５０７によって、この発明にかかる規制部材を実現することができる。ケーブルにおいて、第２のセンサー１１４とケーブルとの接続位置から、第２のケーブル規制部材５０７によって規制される位置までの部分は、第２のセンサー１１４の往復動にともなって変形する。
【００５９】
ガイドシート３０４は、断面略コの字形状をなし、断面略コの字形状をなす３つの平面３０４ａ、３０４ｂ、３０４ｃのうち、中央に位置する面３０４ｂの内側を、ガイド部材５０４の平面部５０４ｂに当接させた状態で、センサーカバー３０３に取り付けられる。ガイドシート３０４は、断面略コの字形状をなす３つの平面３０４ａ、３０４ｂ、３０４ｃのうち、両端の平面３０４ａ、３０４ｃの外側にそれぞれ設けられた縁部３０４ｄをセンサーカバー３０３に当接させた状態で取り付けられる。縁部３０４ｄは、たとえば、接着剤や両面テープなどを用いてセンサーカバー３０３に固定することができる。
【００６０】
ガイドシート３０４において、断面略コの字形状をなす３つの平面３０４ａ、３０４ｂ、３０４ｃのうち、両端の平面３０４ａ、３０４ｃは、傾斜面部５０４ａの側方に設けられており、傾斜面部５０４ａの幅方向に沿って当該傾斜面部５０４ａに側方から対向している。「傾斜面部５０４ａの幅方向」は、上記の「本体部１２０の幅方向」とは異なる方向であって、この実施の形態においては、搬送方向に平行な方向によって実現される。「傾斜面部５０４ａの側方」は、記録媒体の搬送方向に平行な傾斜面部５０４ａの幅方向において、傾斜面部５０４ａを備えるガイド部材５０４より上流側および下流側の位置である。
【００６１】
平面３０４ａは、傾斜面部５０４ａの幅方向に沿って、ガイド部材５０４より下流側から、傾斜面部５０４ａの側方に設けられた側面５０４ｃに対向する。平面３０４ｃは、傾斜面部５０４ａの幅方向に沿って、ガイド部材５０４より上流側から、傾斜面部５０４ａの側方に設けられた側面５０４ｃに対向する。
【００６２】
両端の平面３０４ａ、３０４ｃを、傾斜面部５０４ａの幅方向に沿って当該傾斜面部５０４ａに側方から対向するように設けることにより、傾斜面部５０４ａの側面５０４ｃと平面３０４ａとの対向方向、および、傾斜面部５０４ａの側面５０４ｃと平面３０４ｃとの対向方向は、傾斜面部５０４ａの幅方向に平行な方向となる。平面３０４ａ、３０４ｃは、本体部１２０の幅方向に平行な平面部分が、傾斜面部５０４ａの幅方向に沿って傾斜面部５０４ａの側面５０４に正対するように設けられている。この実施の形態においては、ガイドシート３０４における断面略コの字形状をなす３つの平面３０４ａ、３０４ｂ、３０４ｃのうちの両端の平面３０４ａ、３０４ｃによって、この発明にかかる側方ガイド部材を実現することができる。
【００６３】
側方ガイド部材は、搬送方向に沿って傾斜面部５０４ａ（ガイド部材）の両側に設けられているものに限らない。側方ガイド部材は、少なくとも、搬送方向におけるガイド部材５０４の一方側（図５における紙面奥側）に設けられていることが好ましい。本体部１２０から引き出されたケーブルは、ガイドシート３０４における断面略コの字形状をなす３つの平面３０４ａ、３０４ｂ、３０４ｃのうちの両端の平面３０４ａ、３０４ｃと、ガイド部材５０４の側面５０４ｃとの間を通るように引き回される。
【００６４】
ガイドシート３０４において、断面略コの字形状をなす３つの平面３０４ａ、３０４ｂ、３０４ｃのうち、中央の平面３０４ｂは、傾斜面部５０４ａに対向している。これにより、ガイドシート３０４における中央の平面３０４ｂと傾斜面部５０４ａとの間には、一端側よりも他端側の方が拡開され、当該他端側および側方が開放されたガイド空間が形成される。ケーブルは、中央の平面３０４ｂと傾斜面部５０４ａとの間、すなわちガイド空間を経由するように引き回される。この実施の形態においては、ガイドシート３０４における断面略コの字形状をなす３つの平面３０４ａ、３０４ｂ、３０４ｃのうちの中央の平面３０４ｂによって、この発明にかかる対向ガイド部材を実現することができる。
【００６５】
（第２のセンサー１１４の位置に応じたケーブルの状態）
つぎに、第２のセンサー１１４の位置に応じたケーブルの状態について説明する。図６、図７および図８は、第２のセンサー１１４の位置に応じたケーブルの状態を示す説明図である。図６、図７および図８において、それぞれ、（ａ）は上から見た透視図面を示し、（ｂ）は側面（正面）から見た透視図面を示している。
【００６６】
図６においては、第２のセンサー１１４が、もっとも他端側に位置する場合の、第２のセンサー１１４の位置に応じたケーブルの状態を示している。図６に示すように、第２のセンサー１１４がもっとも他端側に位置する場合、ケーブル６００は、当該ケーブル６００が傾斜面部５０４ａよりも他端側に位置付けられる位置からセンサーとの接続位置までの間において略一直線状態となるように引き回される。第２のセンサー１１４がもっとも他端側に位置する場合、ケーブル６００は、傾斜面部５０４ａよりも他端側に引き回され、ガイド空間内を経由して第２のセンサー１１４との接続位置まで引き回される。
【００６７】
第２のセンサー１１４がもっとも他端側に位置する場合、ケーブル６００と第２のセンサー１１４との接続位置が、第１のケーブル規制部材５０６の位置からもっとも離れる。この状態におけるケーブル６００は、ガイド部材５０４と干渉する位置においてガイド部材５０４を迂回した状態で、第２のセンサー１１４との接続位置と、第１のケーブル規制部材５０６の位置と、の間に張り渡されるように引き回される。
【００６８】
図７においては、第２のセンサー１１４が、第２のセンサー１１４の往復動範囲における略中央すなわちガイド部材５０４の近傍に位置する場合の、第２のセンサー１１４の位置に応じたケーブル６００の状態を示している。図７に示すように、第２のセンサー１１４がガイド部材５０４の近傍に位置する場合、ケーブル６００と第２のセンサー１１４との接続位置もガイド部材５０４の近傍に位置する。このため、第２のセンサー１１４がガイド部材５０４の近傍に位置する場合、第２のセンサー１１４がもっとも他端側に位置する場合と比較して、ケーブル６００と第２のセンサー１１４との接続位置と、第２のケーブル規制部材５０７の位置との距離が短くなる。
【００６９】
ケーブル６００と第２のセンサー１１４との接続位置と、第２のケーブル規制部材５０７の位置との距離が短くなった分、ケーブル６００には弛みが生じる。このケーブル６００の弛みは、ガイド空間内において、ガイド部材５０４を巻き込むように屈曲し、他端側に突出した略Ｊ字形状をなす。ガイド空間は、上下方向（図７の下側の図における、紙面上下方向）に広がっているため、センサーカバー３０３の上面に平行な平面内のみならず、上下方向に広がる立体的な空間内においてケーブル６００を屈曲させ、当該ケーブル６００の弛み部分をガイド空間内に収めることができる。
【００７０】
ガイド部材５０４は、往復動範囲の一端側よりも他端側の方が拡開するように傾斜する傾斜面部５０４ａを備えているため、他端側から一端側への第２のセンサー１１４の移動に追随して、ケーブル６００は、傾斜面部５０４ａがなす坂を上るように持ち上げられながらガイド空間内に誘導され、ガイド部材５０４を巻き込むように屈曲する。傾斜面部５０４ａは、センサーカバー３０３の上側の面に連続するように設けられているため、ケーブル６００をスムーズかつ確実にガイド空間内に誘導することができる。
【００７１】
つまり、傾斜面部５０４ａがなす坂は、第２のセンサー１１４の移動によってできるケーブル６００の弛んだ分を坂の上方向に逃がしつつ、ガイド部材５０４に巻き込ませる機能を持つ。これにより、弛んだケーブル６００がセンサーケーブル孔５０５に入り込み、第２のセンサー１１４の移動を妨げたり、ケーブル６００自体が傷ついたりする問題を防ぐ事ができる。また本構造によりケーブル６００の弛み方が規則的になり、ケーブル６００が予期せぬ角度に屈曲して断線することを防ぐこともできる。
【００７２】
また、ガイド部材５０４によってケーブル６００の引き回される位置を規制しながら、傾斜面部５０４ａによってケーブル６００をガイド空間内に誘導することにより、ケーブル６００の弛み部分が意図しない状態になることを防止することができる。仮に、ケーブルガイド機構３０２がない場合、ケーブル６００は、第１のケーブル規制部材５０６により規制される位置から、第２のセンサー１１４との接続位置までの間の部分が、様々な形状に変形してしまう。この場合、変形した形状によってはケーブル６００が引っ掛かったり、周囲の部材の間に巻き込まれたり、周囲の部材との間で擦れたりして、ケーブル６００や周囲の部材を損傷してしまう。
【００７３】
この自由に変形することが可能な部分は、第２のセンサー１１４の位置にかかわらずケーブル６００を第２のセンサー１１４に接続するために十分な長さが必要になる。このため、もっとも他端側に位置する第２のセンサー１１４との接続に要する長さのケーブル６００を確保すると、弛み部分の長さは、第２のセンサー１１４が一端側に位置するほど長くなり、周囲の部材に干渉しやすくなり、ケーブル６００の損傷も発生しやすくなる。
【００７４】
これに対し、この実施の形態のプリンタ１００においては、上記のように、傾斜面部５０４ａによってケーブル６００を誘導することによりケーブル６００の弛み部分の形状を一定にすることができ、かつ、ケーブル６００の弛み部分をガイド空間内に収めることにより、ケーブル６００が第２のセンサー１１４の移動にともなって周囲に拡がってしまうことを防止できる。そして、ケーブル６００が第２のセンサー１１４の移動にともなって周囲に拡がってしまうことを防止することにより、当該ケーブル６００が周囲の部材に干渉することによるケーブル６００の損傷を抑制することができる。
【００７５】
図８においては、第２のセンサー１１４が、もっとも一端側に位置する場合の、第２のセンサー１１４の位置に応じたケーブル６００の状態を示している。図８に示すように、第２のセンサー１１４がもっとも一端側に位置する場合、ケーブル６００は、傾斜面部５０４ａを巻き込むようにして屈曲し、他端側に突出した略Ｕ字形状をなす。
【００７６】
上記のように、ガイド部材５０４は、傾斜面部５０４ａが第２のセンサー１１４の往復動範囲の略中央に位置するように設けられている。このため、第２のケーブル規制部材５０７の位置から、第２のセンサー１１４に対するケーブル６００の接続位置までの距離は、第２のセンサー１１４がもっとも一端側に位置する場合ともっとも他端側に位置する場合とでほぼ等しい。
【００７７】
これにより、第２のセンサー１１４がもっとも一端側に位置する場合、ケーブル６００は、第２のセンサー１１４がもっとも他端側に位置する場合と同程度に引っ張られた状態になる。そして、ガイド空間におけるケーブル６００の姿勢を安定させ、ケーブル６００が第２のセンサー１１４の移動にともなって周囲に拡がってしまうことを防止し、ケーブル６００が周囲の部材に干渉することを防止できる。
【００７８】
また、ケーブルガイド機構３０２は、ガイド部材５０４の上側および側方を覆うガイドシート３０４を備えているため、当該ガイドシート３０４によってケーブル６００をガイド部材５０４の周囲に確実に位置付け、ケーブル６００の弛み部分をガイドシート３０４の内側に確実に収めることができる。これによって、ケーブル６００が第２のセンサー１１４の移動にともなって周囲に拡がってしまうことを防止し、ケーブル６００が周囲の部材に干渉することを防止できる。
【００７９】
（変形例）
図９および図１０は、この発明にかかる実施の形態の電子機器としてのプリンタの変形例を示す説明図である。上述した実施の形態のプリンタ１００が備えるガイドシート３０４およびガイド部材５０４に代えて、ガイドシート９００を備えたケーブルガイド機構３０２を構成してもよい。
【００８０】
図９に示すように、ガイドシート９００は、この発明にかかる傾斜面部の機能を実現する傾斜面部９０１と、この発明にかかる側方ガイド部材の機能を実現する側壁９０２、９０３と、を一体に備えている。ガイドシート９００は、たとえば、プラスチックなどと称される高分子材料を用いた成型加工や、金属製の板状部材を板金加工することによって形成することができる。
【００８１】
図１０に示すように、センサーカバー３０３の一端側からセンサーカバー３０３の上側に引き回されたケーブル６００は、ガイドシート９００を備えたケーブルガイド機構３０２において、傾斜面部９０１と側壁９０２との間を経由して、第２のセンサー１１４に接続されるように引き回される。
【００８２】
ケーブル６００は、第２のセンサー１１４がもっとも他端側の位置にある場合は、図１０における符号６００Ａで示すように引き回される。また、ケーブル６００は、第２のセンサー１１４がもっとも一端側の位置にある場合は、図１０における符号６００Ｂで示すように引き回される。
【００８３】
このように、変形例のガイドシート９００を設けることにより、一部材によって傾斜面部の機能および側方ガイド部材の機能を実現することができる。これによって、変形例のプリンタを構成する部品点数を抑え、かつ、組み立て工数の増加を抑えることができる。これにより、部品の管理にかかるコストや製造にかかるコストの低減を図ることができる。
【００８４】
上述した実施の形態においては、第１のセンサー１２５を反射型光学センサーによって実現し、第２のセンサー１１４を透過型光学センサーによって実現する例について説明したが、第１のセンサー１２５は反射型光学センサーによって実現するものに限らず、第２のセンサー１１４は透過型光学センサーによって実現するものに限らない。たとえば、第１のセンサー１２５を透過型光学センサーによって実現し、第２のセンサー１１４を反射型光学センサーによって実現してもよい。
【００８５】
以上説明したように、この発明にかかる実施の形態の電子機器を実現するプリンタ１００は、検出対象物の搬送経路に対向し、搬送方向に交差する本体部１２０の幅方向に沿って往復動可能に設けられた第２のセンサー１１４と、ペーパーガイド１１３の上側に設けられて第２のセンサー１１４の往復動範囲を覆うセンサーカバー３０３を備えている。
【００８６】
また、プリンタ１００は、センサーカバー３０３の上側に設けられて、第２のセンサー１１４の往復動範囲の一端側よりも他端側の方が拡開するように、第２のセンサー１１４と搬送経路との対向方向および本体部１２０の幅方向に対して傾斜する傾斜面部５０４ａと、を備えている。
【００８７】
さらに、プリンタ１００は、センサーカバー３０３の上側において、一端側から傾斜面部５０４ａよりも他端側に引き回されて、先端が第２のセンサー１１４に接続されたケーブル６００と、搬送方向において、ケーブル６００の一部が傾斜面部５０４ａを間にしてケーブル６００と第２のセンサー１１４との接続位置とは反対側であって当該傾斜面部５０４ａの近傍に位置付けられるように当該ケーブル６００の位置を規制する第２のケーブル規制部材５０７と、を備えたことを特徴としている。
【００８８】
この発明にかかる実施の形態の電子機器を実現するプリンタ１００によれば、ケーブル６００が、傾斜面部５０４ａよりも他端側に引き回されており、かつ、搬送方向において第２のケーブル規制部材５０７とは反対側で第２のセンサー１１４と接続されているため、第２のセンサー１１４が他端側から一端側に移動すると、ケーブル６００が傾斜面部５０４ａを巻き込むようにして屈曲する。
【００８９】
ケーブル６００の一部は、第２のケーブル規制部材５０７によって、搬送方向において傾斜面部５０４ａを間にしてケーブル６００と第２のセンサー１１４との接続位置とは反対側であって当該傾斜面部５０４ａの近傍に位置付けられるように規制されているため、第２のセンサー１１４が本体部１２０の幅方向における他端側から一端側に移動する際に屈曲するケーブル６００が傾斜面部５０４ａから離間するように変形する、すなわち、ケーブル６００が外側に膨らんでしまうことを防止できる。これにより、ケーブル６００の引き回しのために占有する空間を小さくすることができる。
【００９０】
すなわち、上記のように、第２のケーブル規制部材５０７によってケーブル６００の一部を規制することにより、ケーブル６００の一部は、常に、傾斜面部５０４ａの近傍に位置付けられる。このため、ケーブル６００において、第２のセンサー１１４が本体部１２０の幅方向における他端側から一端側に移動することにともなって変形することができる部分は、第２のケーブル規制部材５０７によって位置が規制されている部分から、第２のセンサー１１４との接続位置までの間とされる。
【００９１】
上記のように、ケーブル６００は、第２のケーブル規制部材５０７によって位置が規制されている部分から、傾斜面部５０４ａよりも他端側に引き回されて第２のセンサー１１４と接続されているため、第２のセンサー１１４との接続位置は、第２のケーブル規制部材５０７によって規制されている位置よりも、搬送方向における下流側に位置している。これにより、ケーブル６００に対しては、常に、第２のケーブル規制部材５０７によって規制されている位置において下流側から上流側に向かって屈曲する力が作用している。
【００９２】
このような状態においては、第２のセンサー１１４が往復動することによって、ケーブル６００に弛みが生じた場合、ケーブル６００は、第２のケーブル規制部材５０７によって規制されている位置において、下流側から上流側に向かって屈曲する。ケーブル６００に対しては、屈曲することによって傾斜面部５０４ａから離間するように変形する力が作用するが、この力によって変形するのは、上記のように、第２のケーブル規制部材５０７によって位置が規制されている部分から、第２のセンサー１１４との接続位置までの間とされている。これによって、ケーブル６００が傾斜面部５０４ａから大きく離間するような変形を抑制し、ケーブル６００が外側に膨らんでしまうことを防止できる。
【００９３】
また、第２のケーブル規制部材５０７によって、傾斜面部５０４ａの近傍に位置付けられるようにケーブル６００の位置を規制することにより、ケーブル６００が傾斜面部５０４ａを確実に巻き込むようにして当該ケーブル６００を屈曲させることができる。これにより、第２のセンサー１１４の移動に起因してケーブル６００が不用意な形状に変形することを防止することができ、ケーブル６００の引き回しのために占有する空間を小さくすることができる。
【００９４】
また、ケーブル６００は、第２のケーブル規制部材５０７によって規制されている位置から、傾斜面部５０４ａよりも他端側において、搬送方向において第２のケーブル規制部材５０７とは反対側に引き回されているため、常に、傾斜面部５０４ａよりも他端側において傾斜面部５０４ａを巻き込むようにして屈曲するように付勢された状態となる。これにより、第２のセンサー１１４の移動に起因してケーブル６００が不用意な形状に変形することを防止することができ、第２のセンサー１１４の往復動に起因してケーブル６００が周囲の部材の間に巻き込まれたり周囲の部材との間で擦れたりすることによるケーブル６００の損傷を防止することができる。
【００９５】
さらに、傾斜面部５０４ａは、一端側よりも他端側の方が拡開するように、第２のセンサー１１４と搬送経路との対向方向および本体部１２０の幅方向に対して傾斜しているため、ケーブル６００は、傾斜面部５０４ａを巻き込むようにして屈曲する際に、当該傾斜面部５０４ａに接している部分が、当該傾斜面部５０４ａによって他端側から一端側に斜面に沿って誘導される。これにより、ケーブル６００の位置を確実に制限し、傾斜面部５０４ａを巻き込むようにして略Ｕ字型にスムーズかつ確実にケーブル６００を屈曲させることができる。
【００９６】
このように、この発明にかかる実施の形態の電子機器を実現するプリンタ１００によれば、第２のセンサー１１４が往復動することによる当該第２のセンサー１１４の位置にかかわらず、当該第２のセンサー１１４に接続されたケーブル６００を損傷することなく所定の空間内に収めることができる。これによって、可動式の第２のセンサー１１４を備える電子機器であるプリンタ１００の小型化を図ることができる。
【００９７】
この発明にかかる実施の形態の電子機器を実現するプリンタ１００は、傾斜面部５０４ａが、本体部１２０の幅方向において、第２のセンサー１１４の往復動範囲の略中央に設けられていることを特徴としている。
【００９８】
この発明にかかる実施の形態の電子機器を実現するプリンタ１００によれば、第２のケーブル規制部材５０７によって、傾斜面部５０４ａの近傍に位置付けられるようにケーブル６００の位置が規制されているため、ケーブル６００において、第２のセンサー１１４の往復動にともなって変形する部分を、第２のセンサー１１４とケーブル６００との接続位置から、第２のケーブル規制部材５０７によって規制される位置までの部分に制限することができる。
【００９９】
そして、本体部１２０の幅方向における往復動範囲の略中央に傾斜面部５０４ａが設けられているため、第２のセンサー１１４がもっとも他端側に位置する場合と第２のセンサー１１４がもっとも一端側に位置する場合とにおいて、第２のセンサー１１４とケーブル６００との接続位置から、規制部材によって規制される位置までの距離を略同一にすることができる。すなわち、本体部１２０の幅方向における往復動範囲の略中央に傾斜面部５０４ａを設けることにより、第２のセンサー１１４の往復動にともなって変形するケーブル６００の長さを、第２のセンサー１１４が往動または復動する距離の略半分にすることができる。
【０１００】
これにより、ケーブル６００において、本体部１２０の幅方向における第２のセンサー１１４の位置によっては余剰となる部分をもっとも短くすることができ、ケーブル６００の引き回しのために占有する空間を小さくすることができる。そして、これによって、可動式の第２のセンサー１１４を備える電子機器の小型化を図ることができる。
【０１０１】
また、この発明にかかる実施の形態の電子機器を実現するプリンタ１００は、傾斜面部５０４ａが、センサーカバー３０３の外表面に連続していることを特徴としている。この発明にかかる実施の形態のプリンタ１００によれば、傾斜面部５０４ａがセンサーカバー３０３の外表面に連続しているため、他端側から一端側に傾斜面部５０４ａに沿ってケーブル６００をスムーズかつ確実に誘導することができる。
【０１０２】
これにより、第２のセンサー１１４の移動に起因してケーブル６００が不用意な形状に変形することを防止して当該ケーブル６００の損傷を防止するとともに、第２のセンサー１１４と搬送経路との対向方向においてケーブル６００が外側に膨らんでしまうことを防止でき、ケーブル６００の引き回しのために占有する空間を小さくすることができる。そして、これによって、可動式の第２のセンサー１１４を備えるプリンタ１００の小型化を図ることができる。
【０１０３】
また、この発明にかかる実施の形態のプリンタ１００は、傾斜面部５０４ａの側方に設けられ、搬送方向に沿って当該傾斜面部５０４ａに対向する、ガイドシート３０４がなす側方ガイド部材を備え、傾斜面部５０４ａの側方において当該傾斜面部５０４ａの側面５０４ｃとガイドシート３０４との間にケーブル６００が位置付けられることを特徴としている。
【０１０４】
この発明にかかる実施の形態のプリンタ１００によれば、ケーブル６００を傾斜面部５０４ａの近傍に確実に引き回すとともに、第２のセンサー１１４が本体部１２０の幅方向における他端側から一端側に移動する際に屈曲するケーブル６００が外側に膨らんでしまうことを防止できる。これにより、ケーブル６００の引き回しのために占有する空間を小さくすることができる。そして、これによって、可動式の第２のセンサー１１４を備えるプリンタ１００の小型化を図ることができる。
【０１０５】
図９および図１０に示した変形例のように、側面５０４ｃのように実体のある部材を有していない（傾斜面部９０１の両側方が空いている）場合も、ガイドシート３０４における両端の平面３０４ａ、３０４ｃと同様に、側壁９０２、９０３が、搬送方向における上流側および下流側から、傾斜面部９０１の両側方（傾斜面部９０１の両側方において空いている空間）に対向する側方ガイド部材を実現する。側方ガイド部材は、ガイドシート３０４における両端の平面３０４ａ、３０４ｃや側壁９０２、９０３のように、ケーブル６００が、傾斜面部５０４ａや傾斜面部９０１から離れて、外側に膨らんでしまうことを防止するものであればよい。
【０１０６】
また、この発明にかかる実施の形態のプリンタ１００は、第２のセンサー１１４と搬送経路との対向方向に沿って傾斜面部５０４ａに対向し、傾斜面部５０４ａとの間に、一端側よりも他端側の方が拡開され、当該他端側および側方が開放されたガイド空間を形成する対向ガイド部材を、ガイドシート３０４によって実現するようにしたことを特徴としている。
【０１０７】
この発明にかかる実施の形態のプリンタ１００によれば、ケーブル６００をガイド空間内に収め、当該ケーブル６００を他端側から一端側に斜面に沿って確実に誘導することができる。これにより、第２のセンサー１１４と搬送経路との対向方向においてケーブル６００が外側に膨らんでしまうことを防止でき、ケーブル６００の引き回しのために占有する空間を小さくすることができる。そして、これによって、可動式の第２のセンサー１１４を備えるプリンタ１００の小型化を図ることができる。
【産業上の利用可能性】
【０１０８】
以上のように、この発明にかかる電子機器は、ケーブルが接続された可動式の部品を備えた電子機器に有用であり、特に、可動式のセンサーを備えたプリンタなどの電子機器に適している。
【符号の説明】
【０１０９】
１００  プリンタ
１１３  ペーパーガイド
１１４  第２のセンサー
３０３  センサーカバー
３０４  ガイドシート
５０４  ガイド部材
５０４ａ  傾斜面部
５０７  第２のケーブル規制部材
６００  ケーブル
９００  ガイドシート
【図１】
0006309390.tif 000002
【図２】
0006309390.tif 000003
【図３】
0006309390.tif 000004
【図４】
0006309390.tif 000005
【図５】
0006309390.tif 000006
【図６】
0006309390.tif 000007
【図７】
0006309390.tif 000008
【図８】
0006309390.tif 000009
【図９】
0006309390.tif 000010
【図１０】
0006309390.tif 000011